(57)【特許請求の範囲】
【請求項１】
マストと、
四角形に配置されたアッパフィンガーバーおよびロアフィンガーバーおよび２本のサイドバーを有し、前記マストに昇降可能に装備されたリフトブラケットと、
Ｌ字形状をなす一体の垂直部および水平部と、前記垂直部にそれぞれ固定されたアッパサポートおよびロアサポートとを有し、前記アッパサポートが前記アッパフィンガーバーに、前記ロアサポートが前記ロアフィンガーバーに、それぞれ前記アッパフィンガーバーおよび前記ロアフィンガーバーの長手方向に移動可能に係合することにより、前記リフトブラケットに移動可能に装備されたフォークと、
前記リフトブラケットのサイドバーに着脱可能に装着されるバックレストと、
を備えたフォークリフトにおいて、
前記サイドバーの上方およびまたは下方であって、前記アッパフィンガーバーおよびまたは前記ロアフィンガーバーの端部には、前記バックレスト未装着時に前記フォークが前記リフトブラケットから脱落するのを防止するストッパプレートが、固定されており、
前記ストッパプレートは、前記アッパフィンガーバーおよびまたは前記ロアフィンガーバーの端部に固定されている固定部と、前記アッパフィンガーバーおよびまたは前記ロアフィンガーバーの端面より外側に位置していて前記アッパサポートおよびまたは前記ロアサポートが当たることにより前記フォークが前記リフトブラケットから脱落するのを防止する当接部と、からなる、
ことを特徴とするフォークリフトにおけるフォークのストッパ構造。
【請求項２】
マストと、
四角形に配置されたアッパフィンガーバーおよびロアフィンガーバーおよび２本のサイドバーを有し、前記マストに昇降可能に装備されたリフトブラケットと、
Ｌ字形状をなす一体の垂直部および水平部と、前記垂直部にそれぞれ固定されたアッパサポートおよびロアサポートとを有し、前記アッパサポートが前記アッパフィンガーバーに、前記ロアサポートが前記ロアフィンガーバーに、それぞれ前記アッパフィンガーバーおよび前記ロアフィンガーバーの長手方向に移動可能に係合することにより、前記リフトブラケットに移動可能に装備されたフォークと、
前記リフトブラケットのサイドバーに着脱可能に装着されるバックレストと、
を備えたフォークリフトにおいて、
前記サイドバーの中間部には、前記バックレスト未装着時に前記フォークが前記リフトブラケットから脱落するのを防止するストッパプレートが固定されており、
前記ストッパプレートは、前記サイドバーの中間部に固定されている固定部と、前記サイドバーの外面より外側に位置していて前記垂直部が当たることにより前記フォークが前記リフトブラケットから脱落するのを防止する当接部と、からなり、
前記ストッパプレートの前記当接部と前記サイドバーの外面との間には、前記バックレストの装着分のスペースが設けられている、
ことを特徴とするフォークリフトにおけるフォークのストッパ構造。
【請求項３】
マストと、
四角形に配置されたアッパフィンガーバーおよびロアフィンガーバーおよび２本のサイドバーを有し、前記マストに昇降可能に装備されたリフトブラケットと、
Ｌ字形状をなす一体の垂直部および水平部と、前記垂直部にそれぞれ固定されたアッパサポートおよびロアサポートとを有し、前記アッパサポートが前記アッパフィンガーバーに、前記ロアサポートが前記ロアフィンガーバーに、それぞれ前記アッパフィンガーバーおよび前記ロアフィンガーバーの長手方向に移動可能に係合することにより、前記リフトブラケットに移動可能に装備されたフォークと、
前記リフトブラケットのサイドバーに着脱可能に装着されるバックレストと、
を備えたフォークリフトにおいて、
前記サイドバーの上端部およびまたは下端部には、前記バックレスト未装着時に前記フォークが前記リフトブラケットから脱落するのを防止するストッパ部が一体に設けられており、
前記ストッパ部は、前記アッパフィンガーバーおよびまたは前記ロアフィンガーバーの端面より外側に位置していて前記アッパサポートおよびまたは前記ロアサポートが当たることにより前記フォークが前記リフトブラケットから脱落するのを防止する当接部を有する、
ことを特徴とするフォークリフトにおけるフォークのストッパ構造。
【発明の詳細な説明】
【０００１】
【発明の属する技術分野】
この発明は、バックレストが未装着時において、フォークがリフトブラケットから脱落するのを防止するフォークリフトにおけるフォークのストッパ構造にかかるものである。特に、この発明は、バックレストの装着が可能であり、また、フォークの脱落を確実に防止することができ、さらに、フォークをリフトブラケットの最外側に装備するのにも何ら支障が無い（すなわち、フォークの開き幅のスペックの変更が無い）フォークリフトにおけるフォークのストッパ構造に関するものである。
【０００２】
【従来の技術】
フォークリフト１は、一般的に、図１９〜図２２に示すように、車両前部に傾倒可能に立設されたマスト２と、前記マスト２に昇降可能に装備されたリフトブラケット３と、前記リフトブラケット３に左右に移動可能に装備された２本のフォーク４、４と、前記リフトブラケット３に着脱可能に装着されたバックレスト５とを備える。
【０００３】
前記リフトブラケット３は、四角形に配置されたアッパフィンガーバー６およびロアフィンガーバー７および２本のサイドバー８、８を有する。なお、この例のリフトブラケット３は、アッパフィンガーバー６およびロアフィンガーバー７および２本のサイドバー８、８がそれぞれ別体のものからなり、溶接などにより一体に構成されているものである。
【０００４】
前記アッパフィンガーバー６および前記ロアフィンガーバー７は、断面Ｌ字形状をなす。また、前記アッパフィンガーバー６の上縁部には、複数個のノッチ９が等間隔に設けられている。さらに、前記２本のサイドバー８、８の上下両端部には、ねじ孔１０がそれぞれ設けられている。
【０００５】
前記フォーク４は、側面から見てＬ字形状をなす一体の垂直部１１および水平部１２と、前記垂直部１１の背面側の上下にそれぞれ固定されたアッパサポート１３およびロアサポート１４とを有する。
【０００６】
前記アッパサポート１３および前記ロアサポート１４は、断面Ｌ字形状をなす。前記アッパサポート１３が前記アッパフィンガーバー６に、前記ロアサポート１４が前記ロアフィンガーバー７に、それぞれ前記アッパフィンガーバー６および前記ロアフィンガーバー７の長手方向（以下、単に横方向と称する）に移動可能に係合することにより、２本の前記フォーク４、４が前記リフトブラケット３に移動可能に装備されることとなる。
【０００７】
前記フォーク４の上端部には、ロックピン１５がバネによりセットされている。前記ロックピン１５を持ち上げて、所定の前記ノッチ９に挿入することにより、前記フォーク４は、前記リフトブラケット３に位置決めされる。前記ロックピン１５の前記ノッチ９への挿入位置を変えることにより、２本の前記フォーク４、４の開き幅を調整することができる。
【０００８】
前記バックレスト５は、上水平部材１６と、左右の垂直部材１７、１７とから構成され、正面から見て門型形状をなす。前記垂直部材１７、１７には、透孔（図示せず）が前記サイドバー８、８のねじ穴１０に対応して設けられている。前記垂直部材１７、１７の透孔を介して前記サイドバー８、８のねじ穴１０にボルト１８をねじ込むことにより、前記バックレスト５が前記リフトブラケット３に着脱可能に装着されることとなる。
【０００９】
フォークリフト１は、上記のごとき構成からなり、２本のフォーク４、４の水平部１２、１２および垂直部とバックレスト５とで荷（図示せず）を受け、リフトブラケット３および２本のフォーク４、４およびバックレスト５をマスト２に対して昇降させ、かつ、マスト２を車両に対して傾斜させる。このようにして、フォークリフト１は、荷物を運搬して、荷役作業を行うものである。
【００１０】
【発明が解決しようとする課題】
ところが、前記フォークリフト１においては、バックレスト５を取り外した状態で出荷、搬送したり、ユーザー側でバックレスト５を取り外す場合がある。この場合、ロックピン１５がノッチ９に確実に挿入されていなかった場合、フォーク４がリフトブラケット３から脱落することがある。
【００１１】
そこで、前記フォークリフト１においては、バックレスト５の未装着時に、フォーク４がリフトブラケット３から脱落するのを防止するために、リフトブラケット３にフォーク４の脱落防止用のストッパを設ける必要がある。
【００１２】
ところが、ただ単に、リフトブラケット３にストッパを設けただけでは、下記のような課題がある。すなわち、後でバックレスト５の装着ができなくなったり、また、ストッパと共にフォークが不用意に脱落したり、さらに、フォーク４をリフトブラケット３の最外側に装備できなくなったりする場合がある。
【００１３】
この発明は、バックレストの装着が可能であり、また、フォークの脱落を確実に防止することができ、さらに、フォークをリフトブラケットの最外側に装備するのにも何ら支障が無いフォークリフトにおけるフォークのストッパ構造を提供することを目的とする。
【００１４】
【課題を解決するための手段】
上記の目的を達成するために、請求項１にかかる発明は、サイドバーの上方およびまたは下方であって、アッパフィンガーバーおよびまたはロアフィンガーバーの端部に、バックレスト未装着時にフォークがリフトブラケットから脱落するのを防止するストッパプレートが、固定されており、ストッパプレートが、アッパフィンガーバーおよびまたはロアフィンガーバーの端部に固定されている固定部と、アッパフィンガーバーおよびまたはロアフィンガーバーの端面より外側に位置していてアッパサポートおよびまたはロアサポートが当たることによりフォークがリフトブラケットから脱落するのを防止する当接部と、からなる、ことを特徴とする。
【００１５】
この結果、請求項１にかかる発明は、後でバックレストをリフトブラケットのサイドバーに着脱可能に装着する際に、前記装着に支障の無い位置、すなわち、サイドバーの上方およびまたは下方であって、アッパフィンガーバーおよびまたはロアフィンガーバーの端部にストッパプレートを固定したので、バックレストの装着が可能である。
【００１６】
また、請求項１にかかる発明は、アッパフィンガーバーおよびまたはロアフィンガーバーの端部にストッパプレートを固定したので、ストッパプレートと共にフォークが不用意に脱落したりすることがなく、フォークの脱落を確実に防止することができる。
【００１７】
さらに、請求項１にかかる発明は、サイドバーの上方およびまたは下方であって、アッパフィンガーバーおよびまたはロアフィンガーバーの端部にストッパプレートの固定部を固定し、ストッパプレートの当接部をアッパフィンガーバーおよびまたはロアフィンガーバーの端面より外側に位置させたので、フォークのアッパサポートおよびロアサポートがリフトブラケットのアッパフィンガーバーおよびロアフィンガーバーに対して横方向に移動するのに何ら支障をきたすようなことが無い。これにより、フォークをリフトブラケットの最外側に装備するのにも何ら支障が無く、フォークの開き幅のスペックの変更が無い。
【００１８】
また、請求項２にかかる発明は、サイドバーの中間部に、バックレスト未装着時にフォークがリフトブラケットから脱落するのを防止するストッパプレートが固定されており、ストッパプレートが、サイドバーの中間部に固定されている固定部と、サイドバーの外面より外側に位置していて垂直部が当たることによりフォークがリフトブラケットから脱落するのを防止する当接部と、からなり、ストッパプレートの当接部とサイドバーの外面との間に、バックレストの装着分のスペースが設けられていることを特徴とする。
【００１９】
この結果、請求項２にかかる発明は、前記請求項１にかかる発明と同様の作用効果を達成することができる。
【００２０】
すなわち、請求項２にかかる発明は、後でバックレストをリフトブラケットのサイドバーに着脱可能に装着する際に、前記装着に支障の無い位置、すなわち、サイドバーの中間部にストッパプレートを固定し、かつ、ストッパプレートとサイドバーとの間にバックレストの装着分のスペースを設けたので、バックレストの装着が可能である。
【００２１】
また、請求項２にかかる発明は、サイドバーの中間部にストッパプレートを固定したので、ストッパプレートと共にフォークが不用意に脱落したりすることがなく、フォークの脱落を確実に防止することができる。
【００２２】
さらに、請求項２にかかる発明は、サイドバーの中間部にストッパプレートの固定部を固定し、ストッパプレートの当接部をサイドバーの外面より外側に位置させたので、フォークのアッパサポートおよびロアサポートがリフトブラケットのアッパフィンガーバーおよびロアフィンガーバーに対して横方向に移動するのに何ら支障をきたすようなことが無い。これにより、フォークをリフトブラケットの最外側に装備するのにも何ら支障が無く、フォークの開き幅のスペックの変更が無い。
【００２３】
また、請求項３にかかる発明は、サイドバーの上端部およびまたは下端部に、バックレスト未装着時にフォークがリフトブラケットから脱落するのを防止するストッパ部が一体に設けられており、ストッパ部が、アッパフィンガーバーおよびまたはロアフィンガーバーの端面より外側に位置していてアッパサポートおよびまたはロアサポートが当たることによりフォークがリフトブラケットから脱落するのを防止する当接部を有する、ことを特徴とする。
【００２４】
この結果、請求項３にかかる発明は、前記請求項１、２にかかる発明と同様の作用効果を達成することができる。
【００２５】
すなわち、請求項３にかかる発明は、後でバックレストをリフトブラケットのサイドバーに着脱可能に装着する際に、前記装着に支障の無い位置、すなわち、サイドバーの上端部およびまたは下端部にストッパ部を一体に設けたので、バックレストの装着が可能である。
【００２６】
また、請求項３にかかる発明は、サイドバーの上端部およびまたは下端部にストッパ部を一体に設けたので、ストッパ部と共にフォークが不用意に脱落したりすることがなく、フォークの脱落を確実に防止することができる。
【００２７】
さらに、請求項３にかかる発明は、サイドバーの上端部およびまたは下端部にストッパ部を一体に設け、ストッパ部の当接部をアッパフィンガーバーおよびまたはロアフィンガーバーの端面より外側に位置させたので、フォークのアッパサポートおよびロアサポートがリフトブラケットのアッパフィンガーバーおよびロアフィンガーバーに対して横方向に移動するのに何ら支障をきたすようなことが無い。これにより、フォークをリフトブラケットの最外側に装備するのにも何ら支障が無く、フォークの開き幅のスペックの変更が無い。
【００２８】
特に、この請求項３にかかる発明は、サイドバーの上端部およびまたは下端部にストッパ部を一体に設けたので、部品点数が増えない効果がある。
【００２９】
【発明の実施の形態】
以下、この発明にかかるフォークリフトにおけるフォークのストッパ構造の実施の形態の３例を添付図面を参照して説明する。なお、この実施の形態により、この発明にかかるフォークリフトにおけるフォークのストッパ構造が限定されるものではない。
【００３０】
（実施の形態１の説明）
図１〜図７は、この発明にかかるフォークリフトにおけるフォークのストッパ構造の実施の形態１を示す。この実施の形態１は、請求項１にかかる発明に対応する。図中、図１９〜図２２と同符号は同一のものを示す。
【００３１】
図において、１９は、バックレスト５未装着時にフォーク４がリフトブラケット３から脱落するのを防止するストッパプレートである。前記ストッパプレート１９は、鋼材からなる。前記ストッパプレート１９は、図２に示すように、固定部としての前面部２０、当接部としての側面部２１、固定部としての背面部２２からなり、平面から見てコの字形状をなす。前記前面部２０および前記側面部２１の長さは、サイドバー８の横および縦の長さとほぼ等しい。また、前記背面部２２の長さは、前記前面部２０の長さより長くする。さらに、前記前面部２０の上角部を切除して、前記前面部２０にサイドバー８とロアフィンガーバー７の溶接（ビード）の逃げ用の切り欠き２３を設ける。
【００３２】
左右の両サイドバー８、８の下方であって、ロアフィンガーバー７の左右両端部に前記ストッパプレート１９を溶接２４（図１、３、４、６中、格子が施された部分）により固定する。
【００３３】
すなわち、図１、３、６に示すように、ストッパプレート１９の前面部２０の側縁と、ロアフィンガーバー７の端面とを溶接２４により固定する。また、図４、６に示すように、ストッパプレート１９の背面部２２の上縁および側縁と、ロアフィンガーバー７の背面とを溶接２４により固定する。
【００３４】
この実施の形態１におけるストッパ構造は、以上のごとき構成からなるので、ロアサポート１４の一部（図５および図６中の斜線が施された部分、図７中の２点鎖線が施された部分）がストッパプレート１９の側面部２１の内面（図５および図６中の斜線が施された面）に当たることにより、フォーク４がリフトブラケット３から脱落するのを防止できる。
【００３５】
特に、この実施の形態１におけるストッパ構造は、後でバックレスト５をリフトブラケット３のサイドバー８、８に着脱可能に装着する際に、前記装着に支障の無い位置、すなわち、左右の両サイドバー８、８の下方であって、ロアフィンガーバー７の左右両端部にストッパプレート１９、１９を固定したので、バックレスト５の装着が可能である。
【００３６】
また、この実施の形態１におけるストッパ構造は、ロアフィンガーバー７の左右両端部にストッパプレート１９、１９を溶接２４により固定したので、ストッパプレート１９、１９と共にフォーク４、４が不用意に脱落したりすることがなく、フォーク４、４の脱落を確実に防止することができる。
【００３７】
さらに、この実施の形態１におけるストッパ構造は、左右の両サイドバー８、８の下方であって、ロアフィンガーバー７の左右両端部にストッパプレート１９、１９の前面部２０および背面部２２を固定し、ストッパプレート１９、１９の側面部２１をロアフィンガーバー７の端面より外側に位置させたので、フォーク４のアッパサポート１３およびロアサポート１４がリフトブラケット３のアッパフィンガーバー６およびロアフィンガーバー７に対して横方向に移動するのに何ら支障をきたすようなことが無い。これにより、フォーク４、４をリフトブラケット３の最外側に装備するのにも何ら支障が無く、フォーク４、４の開き幅のスペックの変更が無い。すなわち、リフトブラケット３の最外側のノッチ９にフォーク４のロックピン１５を挿入することができる。
【００３８】
さらにまた、この実施の形態１におけるストッパ構造は、ストッパプレート１９とロアフィンガーバー７との溶接２４の箇所が、ストッパプレート１９の前面部２０、ロアフィンガーバー７の端面と、ストッパプレート１９の背面部２２、ロアフィンガーバー７の背面との２箇所であるから、十分の強度が得られる。
【００３９】
なお、この実施の形態１において、前記ストッパプレート１９は、左右の両サイドバー８、８の下方であって、ロアフィンガーバー７の左右両端部に固定したものであるが、以下の場合であっても同様の作用効果を達成することができる。すなわち、左右の両サイドバー８、８の上方であって、アッパフィンガーバー６の左右両端部に、ストッパプレート１９を固定しても良い。また、左右の両サイドバー８、８の上方および下方であって、アッパフィンガーバー６の左右両端部およびロアフィンガーバー７の左右両端部に、ストッパプレート１９をそれぞれ固定しても良い。
【００４０】
（実施の形態１の変形例の説明）
図８および図９は、この発明にかかるフォークリフトにおけるフォークのストッパ構造の実施の形態１の変形例を示す。図中、図１〜図７および図１９〜図２２と同符号は同一のものを示す。
【００４１】
この変形例は、前記ストッパプレート１９の変形例である。すなわち、この変形例におけるストッパプレート２５は、図９に示すように、当接部としての側面部２６、固定部としての背面部２７からなり、平面から見てＬの字形状をなす。
【００４２】
この変形例は、ストッパプレート２５とロアフィンガーバー７との溶接箇所が１箇所であるから、前記実施の形態１と比較して強度が若干低下するものの、その他の構造が前記実施の形態１の構成と同様なので、前記実施の形態１の作用効果と同様の作用効果を達成することができる。
【００４３】
（実施の形態２の説明）
図１０および図１１は、この発明にかかるフォークリフトにおけるフォークのストッパ構造の実施の形態２を示す。この実施の形態２は、請求項２にかかる発明に対応する。図中、図１〜図９および図１９〜図２２と同符号は同一のものを示す。
【００４４】
図において、２８は、バックレスト５未装着時にフォーク４がリフトブラケット３から脱落するのを防止するストッパプレートである。前記ストッパプレート２８は、鋼材からなる。前記ストッパプレート２８は、図１１に示すように、固定部としての左側面部２９、背面部３０、当接部としての右側面部３１からなり、平面から見てコの字形状をなす。前記背面部３０の長さをサイドバー８の肉厚よりもバックレスト５の装着分のスペース３２大きくする。また、前記左側面部２９の長さは、前記右側面部３１の長さより短くする。
【００４５】
左右の両サイドバー８、８の中間部に前記ストッパプレート２８、２８を溶接３３（図１１中、格子が施された部分）により固定する。すなわち、図１１に示すように、ストッパプレート１９の左側面部２９の上縁、側縁、下縁と、サイドバー８の内面とを溶接３３により固定する。前記ストッパプレート２８と前記サイドバー８との間には、バックレスト５が装着される分のスペース３２が設けられている。
【００４６】
この実施の形態２におけるストッパ構造は、以上のごとき構成からなるので、垂直部１１の一部（図１１中の斜線が施された部分）がストッパプレート２８の右側面部３１の内面（図１１中の斜線が施された面）に当たることにより、フォーク４がリフトブラケット３から脱落するのを防止できる。
【００４７】
特に、この実施の形態２におけるストッパ構造は、後でバックレスト５をリフトブラケット３のサイドバー８、８に着脱可能に装着する際に、前記装着に支障の無い位置、すなわち、左右の両サイドバー８、８の中間部にストッパプレート２８を固定し、かつ、ストッパプレート２８とサイドバー８との間にバックレスト５の装着分のスペース３２を設けたので、バックレスト５の装着が可能である。
【００４８】
また、この実施の形態２におけるストッパ構造は、左右の両サイドバー８、８の中間部にストッパプレート２８、２８を固定したので、ストッパプレート２８と共にフォーク４が不用意に脱落したりすることがなく、フォーク４の脱落を確実に防止することができる。
【００４９】
さらに、この実施の形態２におけるストッパ構造は、左右の両サイドバー８、８の中間部にストッパプレート２８、２８の左側側面部２９を固定し、ストッパプレート２８、２８の右側面部３１をサイドバー８、８の外面より外側に位置させたので、フォーク４のアッパサポート１３およびロアサポート１４がリフトブラケット３のアッパフィンガーバー６およびロアフィンガーバー７に対して横方向に移動するのに何ら支障をきたすようなことが無い。これにより、フォーク４をリフトブラケット３の最外側に装備するのにも何ら支障が無く、フォーク４の開き幅のスペックの変更が無い。すなわち、リフトブラケット３の最外側のノッチ９にフォーク４のロックピン１５を挿入することができる。
【００５０】
（実施の形態２の変形例の説明）
図１２および図１３は、この発明にかかるフォークリフトにおけるフォークのストッパ構造の実施の形態２の変形例を示す。図中、図１〜図１１および図１９〜図２２と同符号は同一のものを示す。
【００５１】
この変形例は、前記リフトブラケット３の変形例である。すなわち、この変形例におけるリフトブラケット３４は、四角形に配置されたアッパフィンガーバー３５およびロアフィンガーバー３６および２本のサイドバー３７、３７が一体構造をなすものである。
【００５２】
また、この変形例は、前記ストッパプレート２８の変形例である。すなわち、この変形例におけるストッパプレート３８は、図１３に示すように、当接部としての側面部３９、固定部としての背面部４０からなり、平面から見てＬの字形状をなす。
【００５３】
この変形例は、図１３において、垂直部１１の側面の斜線部分が側面部３９の内面の斜線部分に当接して、フォーク４がリフトブラケット３４からの脱落を防止するものである。
【００５４】
この変形例は、リフトブラケット３４の構造が一体構造であって、別個の部材を溶接などにより一体となした前記実施の形態２のリフトブラケット３の構造と異なる。また、この変形例は、ストッパプレート３８とサイドバー３７との溶接箇所が背面部４０の上縁、側縁、下縁とサイドバー３７の背面との箇所であって、左側面部２９の上縁、側縁、下縁および背面部３０の上縁、下縁と、サイドバー８の内面および背面との箇所である前記実施の形態２の溶接箇所と異なる。しかしながら、この変形例は、その他の構造が前記実施の形態２の構成と同様なので、前記実施の形態１の作用効果と同様の作用効果を達成することができる。
【００５５】
特に、この実施の形態２におけるストッパ構造は、サイドバー３７（８）の上方およびまたは下方であって、アッパフィンガーバー３５（６）およびまたはロアフィンガーバー３６（７）の端部にストッパプレートが固定できるスペースが無い場合に最適である。
【００５６】
（実施の形態３の説明）
図１４および図１５は、この発明にかかるフォークリフトにおけるフォークのストッパ構造の実施の形態３を示す。この実施の形態３は、請求項３にかかる発明に対応する。図中、図１〜図１３および図１９〜図２２と同符号は同一のものを示す。
【００５７】
この実施の形態３におけるストッパ構造は、サイドバー８の下端部にストッパ部４１が一体に設けられている。このストッパ部４１は、正面から見てロアフィンガーバー７と対向する側が開口した三角形形状をなす。また、このストッパ部４１は、ロアフィンガーバー７の端面より外側に位置している傾斜面の当接部を有する。
【００５８】
この実施の形態３におけるストッパ構造は、以上のごとき構成からなるので、ロアサポート１４の上角部がストッパ部４１の傾斜面に当たることにより、フォーク４がリフトブラケット３から脱落するのを防止できる。
【００５９】
特に、この実施の形態３におけるストッパ構造は、後でバックレスト５をリフトブラケット３のサイドバー８に着脱可能に装着する際に、前記装着に支障の無い位置、すなわち、左右の両サイドバー８、８の下端部にストッパ部４１、４１を一体に設けたので、バックレスト５の装着が可能である。
【００６０】
また、この実施の形態３におけるストッパ構造は、左右の両サイドバー８、８の下端部にストッパ部４１、４１を一体に設けたので、ストッパ部４１と共にフォーク４が不用意に脱落したりすることがなく、フォーク４の脱落を確実に防止することができる。
【００６１】
さらに、この実施の形態３におけるストッパ構造は、左右の両サイドバー８、８の下端部にストッパ部４１、４１を一体に設け、ストッパ部４１、４１の傾斜面をロアフィンガーバー７の端面より外側に位置させたので、フォーク４のアッパサポート１３およびロアサポート１４がリフトブラケット３のアッパフィンガーバー６およびロアフィンガーバー７に対して横方向に移動するのに何ら支障をきたすようなことが無い。これにより、フォーク４をリフトブラケット３の最外側に装備するのにも何ら支障が無く、フォーク３の開き幅のスペックの変更が無い。すなわち、リフトブラケット３の最外側のノッチ９にフォーク４のロックピン１５を挿入することができる。
【００６２】
また、この実施の形態３におけるストッパ構造は、左右の両サイドバー８、８の下端部にストッパ部４１、４１を一体に設けたので、部品点数が増えない効果がある。
【００６３】
さらに、この実施の形態３におけるストッパ構造は、ストッパ部４１がサイドバー８の下端部から三角形形状に一体に突設されているので、ストッパ部４１の強度が大きい。
【００６４】
なお、この実施の形態３において、前記ストッパ部４１、４１は、左右の両サイドバー８、８の下端部に一体に設けたものであるが、以下の場合であっても同様の作用効果を達成することができる。すなわち、左右の両サイドバー８、８の上端部にストッパ部４１、４１を一体に設けても良い。また、左右の両サイドバー８、８の上端部および下端部にストッパ部４１、４１をそれぞれ一体に設けても良い。
【００６５】
（実施の形態３の変形例１の説明）
図１６および図１７は、この発明にかかるフォークリフトにおけるフォークのストッパ構造の実施の形態３の変形例１を示す。図中、図１〜図１５および図１９〜図２２と同符号は同一のものを示す。
【００６６】
この変形例１は、前記ストッパ部４１の変形例である。すなわち、この変形例におけるストッパ部４２は、正面から見てロアフィンガーバー７に対向する側が開口する板形状をなす。また、このストッパ部４２は、ロアフィンガーバー７の端面より外側に位置している面の当接部を有する。
【００６７】
この変形例１は、ストッパ部４２が板形状をなすから、ストッパ部４１が三角形形状をなす前記実施の形態３と比較して強度が若干低下するものの、ロアサポート１４との当接が面当接（図１７中の斜線が施された面）となって、フォーク４のリフトブラケット３からの脱落を確実に防止できる。また、この変形例１は、その他の構造が前記実施の形態１の構成と同様なので、前記実施の形態３の作用効果と同様の作用効果を達成することができる。
【００６８】
（実施の形態３の変形例２の説明）
図１８は、この発明にかかるフォークリフトにおけるフォークのストッパ構造の実施の形態３の変形例２を示す。図中、図１〜図１７および図１９〜図２２と同符号は同一のものを示す。
【００６９】
この変形例２は、前記ストッパ部４１、４２の変形例である。すなわち、この変形例におけるストッパ部４３は、正面から見てロアフィンガーバー７に対向する側が開口する板形状をなす。かつ、このストッパ部４３の下部の正面側を三角形形状に切除して切り欠き４４を設けたものである。
【００７０】
この変形例２は、前記変形例１と同様の作用効果、すなわち、前記実施の形態３の作用効果と同様の作用効果を達成することができる。
【００７１】
【発明の効果】
以上から明らかなように、この発明にかかるフォークリフトにおけるフォークのストッパ構造（請求項１）によれば、後でバックレストをリフトブラケットのサイドバーに着脱可能に装着する際に、前記装着に支障の無い位置、すなわち、サイドバーの上方およびまたは下方であって、アッパフィンガーバーおよびまたはロアフィンガーバーの端部にストッパプレートを固定したので、バックレストの装着が可能である。
【００７２】
また、この発明にかかるフォークリフトにおけるフォークのストッパ構造（請求項１）によれば、アッパフィンガーバーおよびまたはロアフィンガーバーの端部にストッパプレートを固定したので、ストッパプレートと共にフォークが不用意に脱落したりすることがなく、フォークの脱落を確実に防止することができる。
【００７３】
さらに、この発明にかかるフォークリフトにおけるフォークのストッパ構造（請求項１）によれば、サイドバーの上方およびまたは下方であって、アッパフィンガーバーおよびまたはロアフィンガーバーの端部にストッパプレートの固定部を固定し、ストッパプレートの当接部をアッパフィンガーバーおよびまたはロアフィンガーバーの端面より外側に位置させたので、フォークのアッパサポートおよびロアサポートがリフトブラケットのアッパフィンガーバーおよびロアフィンガーバーに対して横方向に移動するのに何ら支障をきたすようなことが無い。これにより、フォークをリフトブラケットの最外側に装備するのにも何ら支障が無く、フォークの開き幅のスペックの変更が無い。
【００７４】
この発明にかかるフォークリフトにおけるフォークのストッパ構造（請求項２）によれば、後でバックレストをリフトブラケットのサイドバーに着脱可能に装着する際に、前記装着に支障の無い位置、すなわち、サイドバーの中間部にストッパプレートを固定し、かつ、ストッパプレートとサイドバーとの間にバックレストの装着分のスペースを設けたので、バックレストの装着が可能である。
【００７５】
また、この発明にかかるフォークリフトにおけるフォークのストッパ構造（請求項２）によれば、サイドバーの中間部にストッパプレートを固定したので、ストッパプレートと共にフォークが不用意に脱落したりすることがなく、フォークの脱落を確実に防止することができる。
【００７６】
さらに、この発明にかかるフォークリフトにおけるフォークのストッパ構造（請求項２）によれば、サイドバーの中間部にストッパプレートの固定部を固定し、ストッパプレートの当接部をサイドバーの外面より外側に位置させたので、フォークのアッパサポートおよびロアサポートがリフトブラケットのアッパフィンガーバーおよびロアフィンガーバーに対して横方向に移動するのに何ら支障をきたすようなことが無い。これにより、フォークをリフトブラケットの最外側に装備するのにも何ら支障が無く、フォークの開き幅のスペックの変更が無い。
【００７７】
この発明にかかるフォークリフトにおけるフォークのストッパ構造（請求項３）によれば、後でバックレストをリフトブラケットのサイドバーに着脱可能に装着する際に、前記装着に支障の無い位置、すなわち、サイドバーの上端部およびまたは下端部にストッパ部を一体に設けたので、バックレストの装着が可能である。
【００７８】
また、この発明にかかるフォークリフトにおけるフォークのストッパ構造（請求項３）によれば、サイドバーの上端部およびまたは下端部にストッパ部を一体に設けたので、ストッパ部と共にフォークが不用意に脱落したりすることがなく、フォークの脱落を確実に防止することができる。
【００７９】
さらに、この発明にかかるフォークリフトにおけるフォークのストッパ構造（請求項３）によれば、サイドバーの上端部およびまたは下端部にストッパ部を一体に設け、ストッパ部が、アッパフィンガーバーおよびまたはロアフィンガーバーの端面より外側に位置している当接部を有するので、フォークのアッパサポートおよびロアサポートがリフトブラケットのアッパフィンガーバーおよびロアフィンガーバーに対して横方向に移動するのに何ら支障をきたすようなことが無い。これにより、フォークをリフトブラケットの最外側に装備するのにも何ら支障が無く、フォークの開き幅のスペックの変更が無い。
【００８０】
特に、この発明にかかるフォークリフトにおけるフォークのストッパ構造（請求項３）によれば、サイドバーの上端部およびまたは下端部にストッパ部を一体に設けたので、部品点数が増えない効果がある。
【図面の簡単な説明】
【図１】この発明のフォークリフトにおけるフォークのストッパ構造の実施の形態１を示す要部の一部斜視図である。
【図２】（Ａ）はストッパプレートの平面図、（Ｂ）は（Ａ）におけるＢ矢視図、（Ｃ）は（Ｂ）におけるＣ矢視図である。
【図３】図１におけるＩＩＩ矢視図である。
【図４】図１におけるＩＶ矢視図である。
【図５】図４においてストッパプレートの背面部を切除してロアサポートと側面部との当接状態を示す説明図である。
【図６】図４におけるＶＩ矢視図である。
【図７】図３におけるＶＩＩ−ＶＩＩ線断面図である。
【図８】この発明のフォークリフトにおけるフォークのストッパ構造の実施の形態１の変形例を示す要部の一部斜視図である。
【図９】（Ａ）はストッパプレートの平面図、（Ｂ）は（Ａ）におけるＢ矢視図、（Ｃ）は（Ｂ）におけるＣ矢視図である。
【図１０】この発明のフォークリフトにおけるフォークのストッパ構造の実施の形態２を示す要部の一部斜視図である。
【図１１】図１０におけるＸＩ−ＸＩ線断面図である。
【図１２】この発明のフォークリフトにおけるフォークのストッパ構造の実施の形態２の変形例を示す要部の一部斜視図である。
【図１３】図１２におけるＸＩＩＩ−ＸＩＩＩ線断面図である。
【図１４】この発明のフォークリフトにおけるフォークのストッパ構造の実施の形態３を示す要部の一部斜視図である。
【図１５】図１４におけるＸＶ矢視図である。
【図１６】この発明のフォークリフトにおけるフォークのストッパ構造の実施の形態３の変形例１を示す要部の一部斜視図である。
【図１７】図１６におけるＸＶＩＩ矢視図である。
【図１８】この発明のフォークリフトにおけるフォークのストッパ構造の実施の形態３の変形例２を示す要部の一部斜視図である。
【図１９】一般のフォークリフトを示す正面図である。
【図２０】同じく、一般のフォークリフトを示す側面図である。
【図２１】同じく、一般のフォークリフトのリフトブラケット、フォーク、バックレストの相対関係を示す一部正面図である。
【図２２】同じく、一般のフォークリフトのマスト、リフトブラケット、フォーク、バックレストの相対関係を示す一部側面図である。
【符号の説明】
１  フォークリフト
２  マスト
３  リフトブラケット
４、４  フォーク
５  バックレスト
６  アッパフィンガーバー
７  ロアフィンガーバー
８、８  サイドバー
９  ノッチ
１０  ねじ孔
１１  垂直部
１２  水平部
１３  アッパサポート
１４  ロアサポート
１５  ロックピン
１６  上水平部材
１７、１７  左右の垂直部材
１８  ボルト
１９  ストッパプレート
２０  前面部
２１  側面部
２２  背面部
２３  切り欠き
２４  溶接
２５  ストッパプレート
２６  側面部
２７  背面部
２８  ストッパプレート
２９  左側面部
３０  背面部
３１  右側面部
３２  バックレストの装着分のスペース
３３  溶接
３４  リフトブラケット
３５  アッパフィンガーバー
３６  ロアフィンガーバー
３７、３７  サイドバー
３８  ストッパプレート
３９  側面部
４０  背面部
４１  ストッパ部
４２  ストッパ部
４３  ストッパ部
４４  切り欠き
【図１】
0003868224.tif 000002
【図２】
0003868224.tif 000003
【図３】
0003868224.tif 000004
【図４】
0003868224.tif 000005
【図５】
0003868224.tif 000006
【図６】
0003868224.tif 000007
【図７】
0003868224.tif 000008
【図８】
0003868224.tif 000009
【図９】
0003868224.tif 000010
【図１０】
0003868224.tif 000011
【図１１】
0003868224.tif 000012
【図１２】
0003868224.tif 000013
【図１３】
0003868224.tif 000014
【図１４】
0003868224.tif 000015
【図１５】
0003868224.tif 000016
【図１６】
0003868224.tif 000017
【図１７】
0003868224.tif 000018
【図１８】
0003868224.tif 000019
【図１９】
0003868224.tif 000020
【図２０】
0003868224.tif 000021
【図２１】
0003868224.tif 000022
【図２２】
0003868224.tif 000023